(57)【要約】【課題】本発明は、操作時のグリップ性を向上させるとともに、指操作に起因する画面の汚れを防止することができるタッチパネル付き表示装置を提供する。【解決手段】ビデオプレーヤー１０のモニタ１２に画像を全表示する場合には、タッチパネル１６をモニタ１２から退避した位置に位置させる。これにより、表示時の大画面化を実現できる。また、装置本体１４をグリップし操作する場合には、タッチパネル１６をモニタ１２の一部又は全部を覆う位置に位置させ、このタッチパネル１６をグリップ部として兼用する。これにより、操作時のグリップ性が向上し、また、操作時にはモニタ１２の一部又は全部を覆ったタッチパネル１６を触れるだけなので、指操作に起因する表示画面の汚れも防止できる。【選択図】      図３
2006268562.tif 000002
【特許請求の範囲】
【請求項１】
表示画面を有する装置本体と、
前記表示画面の一部又は全部を覆う位置と表示画面から退避した位置とに移動可能なタッチパネルと、
を有することを特徴とするタッチパネル付き表示装置。
【請求項２】
前記装置本体は縦長形状に形成され、前記表示画面は横長形状に形成され、前記タッチパネルは、前記装置本体に収納されるとともに収納位置と表示画面の一部又は全部を覆う位置との間で出し入れされることを特徴とする請求項１に記載のタッチパネル付き表示装置。
【請求項３】
前記タッチパネルは光透過性部材によって構成され、タッチパネルが前記表示画面の一部又は全部を覆う位置に位置されると、前記表示画面は、タッチパネルの操作に関連した画像を表示することを特徴とする請求項１又は２に記載のタッチパネル付き表示装置。
【請求項４】
前記タッチパネルは、前記表示画面の一部を覆う第１の位置と、前記表示画面の一部よりも小さい面積を覆う第２の位置とに移動可能に構成され、タッチパネルの前記第２の位置から第１の位置への移動に対応して前記表示画面の表示形態を変更する表示制御手段を備えたことを特徴とする請求項２に記載のタッチパネル付き表示装置。
【請求項５】
前記タッチパネルの移動位置に応じて前記表示画面に表示される画像のアスペクト比を変更する表示制御手段を備えたことを特徴とする請求項１、２又は４のうちいずれか一つに記載のタッチパネル付き表示装置。
【請求項６】
表示画面を有する装置本体と、
前記表示画面の一部又は全部を覆う位置と表示画面から退避した位置とに移動可能なタッチパネルと、
前記タッチパネルの移動位置に応じて画像再生、音楽再生の再生モードを切り替えるモード切替手段と、
を有することを特徴とするタッチパネル付き表示装置。
【請求項７】
前記タッチパネルは光透過性部材によって構成され、タッチパネルが前記表示画面の全部を覆う位置に位置されると、前記モード切替手段は音楽再生モードに切り替えるとともに、前記表示画面は、タッチパネルの音楽再生モード操作に関連した画像を表示することを特徴とする請求項６に記載のタッチパネル付き表示装置。
【発明の詳細な説明】
【技術分野】
【０００１】
本発明はタッチパネル付き表示装置に係り、特に表示画面上に位置するタッチパネルを操作することにより各種操作が可能なタッチパネル付き表示装置に関する。
【背景技術】
【０００２】
ビデオプレーヤー、デジタルカメラ等の電子カメラ、カメラ付き携帯電話、携帯情報端末（ＰＤＡ）、携帯ゲーム機器等の機器においては液晶モニタ等の表示装置が設けられ、この表示装置の表示画面に、例えばカメラにおいては撮影前のスルー画像や撮影した画像が映し出される。
【０００３】
ところで近年、上記のような機器の小型化が急速に進んでいるが、表示装置については、迫力のある見やすい画像を映し出すため、より大きな画面サイズが望まれている。この要求により、上記のような機器においては大画面の表示装置が搭載されているが、機器本体のサイズに対して表示画面の占める面積が大きくなると、操作時に機器を握るグリップ部が小さくなるため、ユーザが機器を保持しにくくなり機器の操作性が低下するという欠点があった。また、機器を把持する手で表示画面を触ってしまい、画像の一部が見えなくなるという問題もあった。
【０００４】
そこで、このような問題を解決するため、本願出願人は特許文献１において、再生時に大画面モニタで迫力のある画像の再生を可能にするとともに、撮影時にカメラを把持する手によって隠れる表示画面の一部を画面が表示されないタッチパネルとして利用し、そのタッチパネルの部分をも保持可能とすることによりグリップ性を向上させたタッチパネル付き表示装置を提案している。
【０００５】
特許文献１のタッチパネル付き表示装置によれば、撮影時は表示画面上で構図を確認するだけであり画像を観賞する訳ではないので大画面は必要なく、むしろグリップ性を高めて撮影操作性を向上させたい理由から、タッチパネルをグリップ部として兼用している。また、画像に関しては、タッチパネルとして利用される以外の範囲の画面に縮小表示している。
【特許文献１】特開平１１−２８９４８４号公報
【発明の開示】
【発明が解決しようとする課題】
【０００６】
しかしながら、特許文献１のタッチパネル付き表示装置は、撮影時において画像が映し出されない表示画面の一部をタッチパネルとして利用しているが、表示画面に直接触れて操作していることに違いはない。よって、再生時に画像が全画面に映し出された際に、タッチパネルとして利用された表示画面の一部が指操作によって汚れているため、その部分に写し出される画像が見難くなるという問題があった。また、その汚れは外光反射の原因になるので、明るい屋外では反射によって画像が見づらくなるという問題もあった。
【０００７】
本発明はこのような事情に鑑みてなされたもので、操作時のグリップ性を向上させるとともに、指操作に起因する画面の汚れを防止することができるタッチパネル付き表示装置を提供することを目的とする。
【課題を解決するための手段】
【０００８】
請求項１に記載の発明は、前記目的を達成するために、表示画面を有する装置本体と、前記表示画面の一部又は全部を覆う位置と表示画面から退避した位置とを選択可能なタッチパネルと、を有することを特徴としている。
【０００９】
請求項１に記載の発明によれば、表示画面に画像を全表示する場合には、タッチパネルを表示画面から退避した位置に位置させる。これにより、表示時の大画面化を実現できる。また、装置本体をグリップし操作する場合には、タッチパネルを表示画面の一部又は全部を覆う位置に位置させ、このタッチパネルをグリップ部として兼用する。これにより、操作時のグリップ性が向上し、また、操作時には表示画面の一部又は全部を覆ったタッチパネルを触れるだけなので、指操作に起因する表示画面の汚れも防止できる。
【００１０】
請求項２に記載の発明は、請求項１において、前記装置本体は縦長形状に形成され、前記表示画面は横長形状に形成され、前記タッチパネルは、前記装置本体に収納されるとともに収納位置と表示画面の一部又は全部を覆う位置との間で出し入れされることを特徴とする。
【００１１】
請求項２に記載の発明は、装置本体、表示画面の形状を特定したものであり、すなわち、装置本体は縦長形状に形成され、表示画面は横長形状に形成されている。そして、タッチパネルは、装置本体に収納されるとともに、その収納位置と表示画面の一部又は全部を覆う位置との間で出し入れされる。タッチパネルを表示画面の下方側から上方に向けて出し入れすることにより、タッチパネルをグリップとして好適に利用できる。
【００１２】
請求項３に記載の発明は、請求項１又は２において、前記タッチパネルは光透過性部材によって構成され、タッチパネルが前記表示画面の一部又は全部を覆う位置に位置されると、前記表示画面は、タッチパネルの操作に関連した画像を表示することを特徴としている。
【００１３】
請求項３に記載の発明によれば、光透過性のタッチパネルとすることにより、タッチパネルによって覆われた画面をタッチパネルを介して見ることができ、また、タッチパネルによって覆われた画面に、タッチパネルの操作に関連した画像を表示させることにより、操作性の高いタッチパネル付き表示装置を提供できる。
【００１４】
請求項４に記載の発明は、請求項２において、前記タッチパネルは、前記表示画面の一部を覆う第１の位置と、前記表示画面の一部よりも小さい面積を覆う第２の位置とに移動可能に構成され、タッチパネルの前記第２の位置から第１の位置への移動に対応して前記表示画面の表示形態を変更する表示制御手段を備えたことを特徴としている。
【００１５】
請求項４に記載の発明によれば、タッチパネルが表示装置の表示画面の一部を覆う位置と、この一部よりも小さい面積を覆う位置との間で移動可能に構成されており、このタッチパネルの移動に連動して表示画面における表示形態を表示切替手段によって切り替える。例えば、大画面を必要としない操作時に、表示画面の一部を覆う位置にタッチパネルを位置させることにより、グリップ部として利用される面積を広く確保することができるので、操作時のグリップ性を向上させることができる。また、操作時には表示画面の一部を覆ったタッチパネルを触れるだけなので、指操作に起因する表示画面の汚れも防止できる。そして、その時の操作画像は、前記一部を除く画面に表示される。一方、必要上最小限の操作ボタンをタッチパネルに設け、この操作ボタンが露出する位置、すなわち前記一部よりも小さい面積を覆う位置にタッチパネルを位置させれば、再生時に必要とする操作ボタンを確保しつつ大画面化を実現できる。
【００１６】
請求項５に記載の発明は、請求項１、２又は４において、前記タッチパネルの移動位置に応じて前記表示画面に表示される画像のアスペクト比を変更する表示制御手段を備えたことを特徴としている。
【００１７】
請求項５に記載の発明によれば、タッチパネルの移動位置に応じて、タッチパネルが重なる部分を除く表示画面に画像をフル表示させるように画像のアスペクト比を変更するので、画像が見易くなる。例えば、タッチパネルが重ならない表示画面のアスペクト比（縦横比）を３：４に設定することにより標準サイズの画面を観賞でき、タッチパネルが重ならない表示画面のアスペクト比（縦横比）を９：１６に設定することによりワイドサイズの画面に切り替えることができる。
【００１８】
請求項６に記載の発明は、前記目的を達成するために、表示画面を有する装置本体と、前記表示画面の一部又は全部を覆う位置と表示画面から退避した位置とに移動可能なタッチパネルと、前記タッチパネルの移動位置に応じて画像再生、音楽再生の再生モードを切り替えるモード切替手段と、を有することを特徴としている。
【００１９】
請求項６に記載の発明によれば、タッチパネルが表示画面から退避した位置に位置すると、モード切替手段が画像再生モードに切り替える。また、タッチパネルが表示画面の全部を覆う位置に位置すると、モード切替手段が音楽再生モードに切り替える。この場合、タッチパネルには、画像再生時に操作する操作ボタンの他、音楽再生時に操作する操作ボタンが表示画面上に現れる。更に、タッチパネルが表示画面の一部を覆う位置に位置した場合には、画像再生モード、音楽再生モードのうち一方の再生モードが選択される。
【００２０】
請求項７に記載の発明は、請求項６において、前記タッチパネルは光透過性部材によって構成され、タッチパネルが前記表示画面の全部を覆う位置に位置されると、前記モード切替手段は音楽再生モードに切り替えるとともに、前記表示画面は、タッチパネルの音楽再生モード操作に関連した画像を表示することを特徴としている。
【００２１】
請求項７に記載の発明によれば、光透過性のタッチパネルが表示画面の前部を覆う位置に位置すると、モード切替手段によって再生モードが音楽再生モードに切り替えられ、そして、表示画面にはタッチパネルの音楽再生モード操作に関連した画像が表示される。例えば、タッチパネルに形成された曲目選択ボタンを操作すると、表示画面には複数の曲目が文字表示され、その中から選択した曲目をタッチパネルに形成された決定ボタンを操作することにより選択することができる。
【発明の効果】
【００２２】
本発明に係るタッチパネル付き表示装置によれば、装置本体をグリップし操作する場合には、タッチパネルを表示画面の一部又は全部を覆う位置に位置させ、このタッチパネルをグリップ部として兼用したので、操作時のグリップ性が向上し、また、操作時には表示画面の一部又は全部を覆ったタッチパネルを触れるだけなので、指操作に起因する表示画面の汚れも防止できる。
【発明を実施するための最良の形態】
【００２３】
以下、添付図面に従って本発明に係るタッチパネル付き表示装置の好ましい実施の形態について説明する。
【００２４】
なお、以下の説明では、本発明のタッチパネル付き表示装置を、画像再生可能なビデオプレーヤー、画像・音楽再生可能なビデオ・オーディオプレーヤーに適用した例について説明するが、本発明はこれに限定されるものではなく、電子カメラ、携帯電話、携帯情報端末（ＰＤＡ）、ポケットＰＣ等の携帯ＰＣ、タッチパネルを備える携帯ゲーム機器等に適用可能である。
【００２５】
図１は本発明が適用されたビデオプレーヤー１０の正面図であり、図２はその縦断面図である。図１の如く、ビデオプレーヤー１０の正面の上部には、横長形状のモニタ（表示画面）１２が設けられる。このモニタ１２は、液晶ディスプレイ（ＬＣＤ）によって構成されるとともに、縦長扁平形状の装置本体１４に対して可能な限り横長大画面のものが用いられている。
【００２６】
また、このモニタ１２は、電源スイッチ及び画面サイズ切り替え操作並びにタッチパネル１６をモニタ１２に対して進退移動操作するスライドレバー１８の操作に基づき、図３に示す標準サイズ（縦横比３：４）の画像、及び図４に示すワイドサイズ（縦横比９：１６）の画像を表示することができる。なお、図２において符号２０は、電子回路が実装された回路基板であり、符号２２は内蔵のＨＤＤ（Ｈard Ｄisc Ｄrive) である。また、符号２４は、装置本体１４の左下隅部に配置されたスピーカである。このビデオプレーヤー１０は、モニタ１２の下方に位置する装置本体がグリップ部１５として利用され、このグリップ部１５を把持した右手又は左手の指で操作可能な位置にスライドレバー１８が設けられている。
【００２７】
スライドレバー１８は、装置本体１４の正面に形成された開口部２６に上下方向にスライド自在に設けられるとともに、下段の「ＯＦＦ」位置２８、中段の「標準」位置３０、上段の「ワイド」位置３２に不図示のクリック機構によって保持される。スライドレバー１８が「ＯＦＦ」位置２８に保持されると、ビデオプレーヤー１０の電源はＯＦＦになり、スライドレバー１８が「標準」位置３０又は「ワイド」位置３２に保持されるとビデオプレーヤー１０の電源がＯＮになる。
【００２８】
このスライドレバー１８とタッチパネル１６とは、図２の如く装置本体１４の内側で連結されている。タッチパネル１６は図３、図４の如く、モニタ１２に隣接した下方位置に配置されるとともにモニタ１２よりも長い横長矩形状に形成されている。このタッチパネル１６はプラスチックプレートによって構成され、図１の如くスライドレバー１８を「ＯＦＦ」位置２８に操作することにより、装置本体１４に収納されてモニタ１２から退避した退避位置に位置される。また、タッチパネル１６は、図４の如くスライドレバー１８を「ワイド」位置３２に操作することにより、モニタ１２の下側部（一部）を覆う第１の引き出し位置（第１の位置）に位置され、また、図３の如くスライドレバー１８を「標準」位置３０に位置させると、モニタ１２の下側部を覆う位置であって図４に示した引き出し位置よりもタッチパネル１６によって覆う面積が小さい第２の引き出し位置（第２の位置）に位置される。図３に示した第２の引き出し位置において、タッチパネル１６によって覆われた画面を除く画面が標準サイズ（縦横比３：４）に対応した画面サイズとなり、また、図４に示した第１の引き出し位置において、タッチパネル１６によって覆われた画面を除く画面がワイドサイズ（縦横比９：１６）に対応した画面サイズとなる。
【００２９】
更に、ビデオプレーヤー１０には、スライドレバー１８が図１、図２に示した「ＯＦＦ」位置２８に位置したこと、図３に示した「標準」位置３０に位置したこと、及び図４に示した「ワイド」位置に位置したことを検出するポテンショメータ３４が図５の如く装置本体１４に内蔵されている。このポテンショメータ３４によれば、ポテンショメータ３４の回転軸３６にアーム３８の一端が連結され、アーム３８の他端はピン４０を介して、タッチパネル１６の連結片４２に形成された長孔４４に係合されている。したがって、スライドレバー１８の操作によりタッチパネル１６が上下移動されると、それに連動してアーム３８及び回転軸３６が回動し、その回動量に応じた信号、すなわち、タッチパネル１６の位置を示す信号がポテンショメータ３４から、ビデオプレーヤー１０を統括・制御するＣＰＵ５０（図６参照）に出力される。
【００３０】
ポテンショメータ３４からＣＰＵ５０に「ＯＦＦ」位置２８に位置したことを示す信号が出力されると、ＣＰＵ５０は電源をＯＦＦにする。また、ポテンショメータ３４からＣＰＵ５０に「標準」位置３０に位置したことを示す信号が出力されると、ＣＰＵ５０は標準画面に選択されたことを認識し、モニタ１２に表示される画像を図３の標準サイズ（縦横比３：４）に設定する。これにより、タッチパネル１６によって覆われた画面を除く標準サイズの画面に同じく標準サイズの画像がフル表示される。更に、ポテンショメータ３４からＣＰＵ５０に「ワイド」位置３２に位置したことを示す信号が出力されると、ＣＰＵ５０はワイド画面に選択されたことを認識し、モニタ１２に表示される画像を図４のワイドサイズ（縦横比９：１６）に設定する。これにより、タッチパネル１６によって覆われた画面を除くワイドサイズの画面に同じくワイドサイズの画像がフル表示される。すなわち、ＣＰＵ５０は、表示制御手段の機能を有している。
【００３１】
なお、図３、図４に示した画像は、タッチパネル１６によって画像が隠れないサイズに設定されているが、光透過性のタッチパネル１６であれば、タッチパネル１６によって隠れた画像をタッチパネル１６を介して見ることができるので、タッチパネル１６に覆われた画面を非表示にする必要はない。
【００３２】
このタッチパネル１６には図４の如く、画像の再生時に操作するスタートボタン５２、停止ボタン５４、一時停止ボタン５６、巻き戻しボタン５８、メニュー選択ボタン６０、トップボタン６２、十字キーボタン６４がそれぞれ所定の位置に配置されている。また、これらのボタン５２〜６４は、図３に示した標準サイズ時においてスタートボタン５２、停止ボタン５４、一時停止ボタン５６、及び巻き戻しボタン５８がモニタ１２上に露出され、図４に示したワイドサイズ時において全ボタン５２〜６４がモニタ１２上に露出される。これらのボタン５２〜６４から受入する信号に応じて、図６に示すＣＰＵ５０はモニタ１２に表示する内容を変更する。これらのボタン５２〜６４による指の検出方式としては抵抗膜式、静電容量式、超音波式、及び光学式等の各種手段を用いることができる。
【００３３】
また、各ボタン５２〜６４の表示形式として、タッチパネル１６を光透過性部材によって構成し、このタッチパネル１６に各ボタン５２〜６４の枠のみを表示し、枠内の記号、文字（タッチパネルの操作に関連した画像に相当）をその枠の位置に対応するようにモニタ１２上に表示させてもよい。更に、枠及び記号、文字の全てをモニタ１２上に表示させ、透明のボタン５２〜６４をタッチパネル１６に形成してもよい。また、図１に示すフル画面のモニタ１２に画像を表示させるように設定してもよい。これにより、再生時の大画面化を実現でき、モニタ１２には画像がフル画面表示されるので、迫力のある画像を観賞できる。なお、この場合、スライドレバー１８は画面サイズの切り替え部材としてのみ機能するため、電源スイッチが別途必要になる。
【００３４】
図６は、ビデオプレーヤー１０の全体構成を示したブロック図である。
【００３５】
同図に示すようにＣＰＵ５０は、バス６６を介してビデオプレーヤー１０の各ブロックに接続されており、タッチパネル１６からタッチパネルＩ／Ｆ６８を介しての操作入力に基づいて各ブロックを統括制御する。
【００３６】
ＥＥＰＲＯＭ７０には、ビデオプレーヤー１０の制御プログラムや制御に必要な各種の設定データ等が格納されている。電源回路７２は、ビデオプレーヤー１０の各ブロックに電源を供給する。
【００３７】
ＨＤＤ２２には静止画及び動画の画像データ、音声データが記録されており、このＨＤＤ２２から読み出された画像データは、圧縮・伸長回路７４により伸長された後、ビデオトランスファー回路７６によってビデオ信号に変換される。そして、デジタルビデオエンコーダ７８によりエンコーディングされた後、ＰｉｎＰ合成部８０により画像合成されてビデオプレーヤー１０のモニタ１２に出力される。また、ビデオトランスファー回路７６によって変換されたビデオ信号は、バッファメモリ８２に一時記録される。一方、ＨＤＤ２２から読み出された音声信号は、発音部８４を介してスピーカ２４に出力され、スピーカ２４から音声が発生される。
【００３８】
次に、前記の如く構成されたビデオプレーヤー１０の作用について説明する。
【００３９】
ビデオプレーヤー１０の正面に設けられたタッチパネル１６は、図１の如くモニタ１２の表示画面から退避した収納位置と、図３、図４の如くモニタ１２の表示画面の一部を覆う第１の引き出し位置、第２の引き出し位置とに移動可能である。
【００４０】
そして、ビデオプレーヤー１０は、スライドレバー１８を図１の「ＯＦＦ」位置２８から図３の「標準」位置３０に移動させると、電源がＯＮになるとともに、タッチパネル１６に覆われないモニタ１２の標準サイズの画面に、標準サイズの画面が図３の如くフル表示される。また、スライドレバー１８を図３の「標準」位置３０から図４の「ワイド」位置３２に移動させると、タッチパネル１６に覆われないモニタ１２のワイドサイズの画面に、ワイドサイズの画面が図４の如くフル表示される。
【００４１】
このように、画像の再生時に、タッチパネル１６をモニタ１２の表示画面の一部を覆う第１及び第２の引き出し位置に位置させることにより、グリップ部として利用される面積をタッチパネル１６の引き出し面積分だけ広くとることができる。よって、ビデオプレーヤー１０の再生時におけるグリップ性を向上させることができる。また、再生操作時にはモニタ１２の一部を覆ったタッチパネル１６の各ボタン６２〜６４を触れるだけなので、指操作に起因するモニタ３２の汚れも防止できる。
【００４２】
また、実施の形態のビデオプレーヤー１０は、装置本体１４が縦長形状に形成され、モニタ１２が横長形状に形成されている。そして、タッチパネル１６は、装置本体１４に収納されるとともに、その収納位置と表示画面の一部を覆う第１及び第２の引き出し位置との間で出し入れされる。図３、図４の如く、タッチパネル１６をモニタ１２の下方側から出し入れすることにより、グリップ部１５がモニタ１２の下方に形成されていることからタッチパネル１６をグリップとして好適に利用できる。
【００４３】
図７、図８は他の実施の形態のビデオ・オーディオプレーヤー１００が示され、図１〜図６に示したビデオプレーヤー１０と同一又は類似の部材については同一の符号を付して説明する。
【００４４】
図７に示すビデオ・オーディオプレーヤー１００は、スライドレバー１８が画像再生モードと音楽再生モードとを切り替える切替スイッチの機能を有するとともに、図７に示す画像再生モード位置１０２、及び図８に示す音楽再生モード位置１０４において不図示のクリック機構により係止される。また、ビデオ・オーディオプレーヤー１００の装置本体１４には、電源スイッチ１０５が設けられている。
【００４５】
スライドレバー１８のスライド操作に連動される光透過性のタッチパネル１６には、図７の画像再生モード時にモニタ１２上に位置するスタートボタン５２、停止ボタン５４、一時停止ボタン５６、巻き戻しボタン５８が設けられるとともに、図８の音楽再生モード時にモニタ１２上に位置する音楽操作用十字キーボタン１０６、決定ボタン１０８が設けられている。
【００４６】
図８の音楽再生モード時において、タッチパネル１６はモニタ１２の全画面を覆う。そして、十字キーボタン１０６の操作による曲目選択時に、モニタ１２には複数の曲目（タッチパネルの音楽再生モード操作に関連した画像）が図８のエリア１１０、１１２、１１４、１１６、１１８に文字表示され、また、十字キーボタン１０６を操作することによりこれらの曲目をモニタ１２上にスクロール表示することができる。そしてまた、十字キーボタン１０６を操作して聞きたい曲目にカーソルを合わせた後、決定ボタン１０８を操作することにより、その曲を選択することができる。
【００４７】
図９は、ビデオ・オーディオプレーヤー１００の全体構成を示したブロック図であり、図６で示したブロック図と同一又は類似の部材については同一の符号を付し、その説明は省略する。
【００４８】
図９の如く、ＨＤＤ２２から読み出された音楽データは、圧縮・伸長回路１２０により伸長された後、オーディオデータ再生回路１２２によって再生され、発音部８４を介してスピーカ２４に出力される。
【００４９】
このように構成されたビデオ・オーディオプレーヤー１００によれば、画面を必要としない図８の音楽再生モード時に、モニタ３２の全画面をタッチパネル１６によって覆うため、グリップ部として利用される面積を広く確保することができる。よって、音楽再生操作時のグリップ性を向上させることができる。
【００５０】
図１０、図１１に示したビデオプレーヤー１５０は、横長形状の装置本体１５２に横長形状のモニタ１５４が設けられたものである。タッチパネル１６は、モニタ１５４の右側部から図１０に示すモニタ１５４から退避した位置と、図１１に示すモニタ１５４の一部を覆う位置との間で出し入れされる。タッチパネル１６の出し入れ操作は、装置本体１５２の上面に設けられたレバー１５６のスライド操作によって行われている。
【００５１】
このビデオプレーヤー１５０によれば、電源スイッチ１５８をＯＮするとモニタ１５４に画像が写し出され、レバー１５６を図１１の如く左方にスライド操作することによりタッチパネル１６がモニタ１５４の一部を覆う位置に位置し、その際に露出しているスタートボタン５２、停止ボタン５４、一時停止ボタン５６、及び巻き戻しボタン５８が操作可能となる。
【図面の簡単な説明】
【００５２】
【図１】本発明の実施の形態に係るビデオプレーヤーの正面図
【図２】図１に示したビデオプレーヤーの縦断面図
【図３】図１のビデオプレーヤーが標準サイズの画像をモニタに写し出している説明図
【図４】図１のビデオプレーヤーがワイドサイズの画像をモニタに写し出している説明図
【図５】タッチパネルの位置を検出するポテンショメータの構造を示す説明図
【図６】図１のビデオプレーヤーの全体構成を示したブロック図
【図７】ビデオ・オーディオプレーヤーの実施の形態を示した正面図
【図８】図７のビデオ・オーディオプレーヤーが音楽再生モードに切り替えられた状態の正面図
【図９】図７のビデオ・オーディオプレーヤーの全体構成を示したブロック図
【図１０】ビデオプレーヤーの別実施例を示した正面図
【図１１】ビデオプレーヤーの別実施例を示した正面図
【符号の説明】
【００５３】
１０…ビデオプレーヤー、１２…モニタ、１４…装置本体、１５…グリップ部、１６…タッチパネル、１８…スライドレバー、２２…ＨＤＤ、３４…ポテンショメータ、５０…ＣＰＵ５０、５２…スタートボタン、５４…停止ボタン、５６…一時停止ボタン、５８…巻き戻しボタン、６０…メニュー選択ボタン、６２…トップボタン、６４…十字キーボタン、１００…ビデオ・オーディオプレーヤー
【図１】
2006268562.tif 000003
【図２】
2006268562.tif 000004
【図３】
2006268562.tif 000005
【図４】
2006268562.tif 000006
【図５】
2006268562.tif 000007
【図６】
2006268562.tif 000008
【図７】
2006268562.tif 000009
【図８】
2006268562.tif 000010
【図９】
2006268562.tif 000011
【図１０】
2006268562.tif 000012
【図１１】
2006268562.tif 000013